(57)【要約】【課題】一個人が高い質感と強度を併せ持つ本を少ない労力と資金で生産する事を実現する。【解決手段】本の構造を１ページずつ重ねて綴じた本文用紙と、裏面に表紙の芯材を貼る位置を印刷し一目で確認して貼れるようにし、芯材と表紙の紙と本文用紙を貼り合わせるのに水分を含有する接着剤を使用し紙が水分を含んで伸びその後乾いて縮んだ時、表紙の外側と内側で発生する引っ張り合う力を内側に強く発生させる為に、表には表紙１枚で裏は折り返した紙と本文と表紙を繋ぐ紙の２枚とし、内側には反っても外側には反りにくい芯材を包み込む形状にした表紙の紙を用い製造する方法にしたものである。【選択図】  図６
2008221696.tif 000002
【特許請求の範囲】
【請求項１】
１ページずつ重ねて綴じた本文用紙と、裏面に表紙の芯材を貼る位置を印刷し一目で確認して貼れるようにし、芯材と表紙の紙と本文用紙を貼り合わせるのに水分を含有する接着剤を使用し紙が水分を含んで伸びその後乾いて縮んだ時、表紙の外側と内側で発生する引っ張り合う力を内側に強く発生させる為に、表には表紙１枚で裏は折り返した紙と本文と表紙を繋ぐ紙の２枚とし、内側には反っても外側には反りにくい芯材を包み込む形状にした表紙の紙を持つ構造を特徴とした本。
【請求項２】
作りたい本の大きさに合わせて本文用紙を作り1ページずつ重ねる。本文と表紙を繋ぐ紙を作り本文の束と重ねる。双方に糸で綴じる為の穴を開け綴じる。表紙の紙の裏面に表紙の芯となる芯材を貼る位置を印刷する。その位置に合わせ芯材を貼り、上下左右の部分を折り返して芯材を包み込んで貼る。これに綴じた本文用紙を挟み込み貼り付ける。以上の工程からなる事を特徴とする本の製造方法。
【発明の詳細な説明】
【技術分野】
【０００１】
本発明は一個人が本の出版を志す事に関する。
【背景技術】
【０００２】
現在、製本は機械化され大量に生産するのが常となっていると同時に、質感が高く、強度も高い本を生産しにくくなっている。更にインターネット全盛の時代となり紙文化の良さが忘れられようとしている。
【０００３】
製本方法として他に次のようなものが知られている。
【特許文献１】特開２００２−０６７５３１号公報
【発明の開示】
【発明が解決しようとする課題】
【０００４】
従来、出版と言うと大掛かりで、中でも特に上製本は出版社が多額の資金を投じて大量生産するか、個人が多額の資金を投じて少量生産するしかなかった。結果、多額の資金がかかるだけでなく大量の在庫を抱えてしまう欠点があった。更に出版社から自分の作品を出版する場合、出版社側の意向もあり完全に自由な表現を本という形で量産する事が困難だった。以上のような問題を解決しようとするのがこの発明である。
【課題を解決するための手段】
【０００５】
本発明１は、１ページずつ重ねて綴じた本文用紙と、裏面に表紙の芯材を貼る位置を印刷し一目で確認して貼れるようにし、芯材と表紙の紙と本文用紙を貼り合わせるのに水分を含有する接着剤を使用し紙が水分を含んで伸びその後乾いて縮んだ時、表紙の外側と内側で発生する引き合う力を内側に強く発生させる為に、表には表紙１枚で裏は折り返した紙と本文と表紙を繋ぐ紙の２枚とし、内側には反っても外側には反りにくい芯材を包み込む形状にした表紙の紙を用いて作られた本である。第２の発明は作りたい本の大きさに合わせて本文用紙を作り１ページずつ重ねる。本文と表紙を繋ぐ紙を作り本文の束と重ねる。双方に糸で綴じる為の穴を開け綴じる。表紙の紙の裏面に表紙の芯となる芯材を貼る位置を印刷する。その位置に合わせ芯材を貼り、上下左右の部分を折り返して芯材を包み込んで貼る。これに綴じた本文用紙を挟み込み貼り付ける。以上の工程からなる事を特徴とする本の製造方法である。
【発明の効果】
【０００６】
自分の手で組むことによって製作にかかる費用が抑えられ、その都度必要なだけ生産できるので過剰な在庫を抱える事を防止できる。更に製本機などの設備を何も必要としないためどんな場所でも容易に生産できる。よって一個人でも極めて質感が高く、又極めて強度の高い本の割に量産することができ、自分の感性を何者にも縛られることなく本という形によって表現することができる。
【発明を実施するための最良の形態】
【０００７】
以下、図面を用いて説明する。まず作りたい本の大きさに合わせて図１のような本文用紙を印刷する。今回本文用紙は紙を使用したが、ビニール、布、革、木、プラスチック、金属など材料となるものなら何でも使用可能である。その後点線Ｂ（紙の中央部）で山折りにする。今回本文用紙は質感向上のため片面印刷した用紙を山折りにしたが、両面印刷をして山折りの工程を省略することもできる。次に直径３ミリの穴Ａを開ける。この時、穴は折り重なる紙の方にも貫通させる。今回直径３ミリの穴を３つ開けたが、大きさや数は綴じる糸の太さや本文用紙の大きさによって変わるものとする。これを必要なページ分作り、穴はページを重ねた時に同じ位置にくるように開ける。
【０００８】
図２のように図１の半分の大きさに切った紙Ｅを段落０００６で出来たものと重ねた時に同じ位置にくるよう穴Ｄを開ける。
【０００９】
図３のように段落０００６で作った本文の束Ｆを段落０００７で作った本文と表紙をつなぐ紙Ｅで挟むように重ねる。
【００１０】
段落０００８で出来たものを針と凧糸を使い綴じる。図４に綴じ方の手順を示す。図の裏側で見えない糸は点線で示した。１から番号の順に糸を通し、最後は図５の様に５と９の糸の下をくぐらせた後に１の糸と結ぶ。今回針は一般的な縫い針を使い綴じ糸は凧糸を使用したが針は縫えれば何でも良く、綴じ糸も凧糸でなくとも紙糸、ビニールの糸、革紐、金属の糸など綴じられるものなら何でも良いものとする。又、綴じ方についても本文用紙が離れないよう綴じられる方法なら何でも良いものとする。
【００１１】
図６のように表紙の裏面の印刷（中央の長方形Ｈは本の表紙と背表紙の芯となる黄ボール紙を貼り付ける位置を決める為のものである。）をする。今回表紙は紙を使用したが、ビニール、布、革、木、プラスチック、金属など材料となるものなら何でも使用可能である。そして斜線部Ｇは切り落とす。
【００１２】
図６の中央の長方形３つと同じ大きさに黄ボール紙を切り、表紙の裏面全体にでんぷんのりを塗って黄ボール紙を位置に合わせて貼り付ける。今回芯材には黄ボール紙を使ったが、ビニール、布、革、木、プラスチック、金属など材料となるものなら何でも使用可能である。今回接着剤は、環境に優しく耐久性が高いが反面水分を多く含み紙を反らせる可能性が高いでんぷんのりを使えるように本の構造から見直して使用したが、合成のり（ホットメルト）、両面テープなど使う素材を貼り合わせられるものなら何でも使用可能である。
【００１３】
図７の矢印Ｉで示すように紙を折り返し貼り付ける。下側も同じようにする。尚、上下の折り返す紙で黄ボール紙を包んでしまう形状になっているのは、本としてみっともなく外側に反らないようにするためである。黄ボール紙の表裏に紙を貼り付ける場合に、同じ銘柄で同じ厚さの場合貼り付けた紙の枚数が多い方に反る傾向にあるので、表には表紙１枚で裏は折り返した紙と本文と表紙を繋ぐ紙の２枚となり、内側には反っても外側には反りにくくなっている。
【００１４】
段落００１２で出来たものを図８の矢印Ｊで示すように両端の紙を折り返し貼り付ける。
【００１５】
段落００１３で出来たものを図９のように本の厚みを背の部分の黄ボール紙の厚みと同じになるように点線Ｋを谷折りにする。
【００１６】
図１０に表す段落０００９で作った物の斜線部Ｌにのりを塗る。図では見えない裏側も同じように塗る。そして段落００１４で作った物に挟むようにして貼り付ける。
【００１７】
本の地の方向から見ると図１１のようになるが、この時に背表紙の内側Ｍに隙間があかないように奥まで差し込む。
【００１８】
図１２のように本が歪んだ状態で接着してしまわないように背の部分だけを外に出した状態で木の板Ｎなどに挟み、重しとなるものＯを載せてのりが乾くまで待つ。
【００１９】
尚、備考として付け加えるが印刷と断裁及び本文用紙の折りと穴あけは専門業者に依頼するのも一つの手である。
【図面の簡単な説明】
【００２０】
【図１】本文の１枚分を示す平面図
【図２】本文と表紙を繋ぐ紙の平面図
【図３】本文と表紙を繋ぐ紙と本文の重ね方を示す斜視図
【図４】本の綴じ方を示す斜視図
【図５】綴じの処理の仕方を示す斜視図
【図６】表紙の紙の裏面の印刷様式
【図７】表紙の紙の折り方
【図８】表紙の紙の折り方
【図９】表紙の折り方
【図１０】のりを付ける範囲
【図１１】本文と表紙の接着の仕方
【図１２】本の乾かし方
【符号の説明】
【００２１】
Ａ  本文用紙の綴じ込み穴
Ｂ  山折り線
Ｃ  本文用紙
Ｄ  本文と表紙を繋ぐ紙の綴じ込み穴
Ｅ  表紙と本文を繋ぐ紙
Ｆ  本文用紙の束
Ｇ  切り落とす部分を示す斜線部
Ｈ  芯材を貼る位置
Ｉ  折り返す方向を示す矢印
Ｊ  折り返す方向を示す矢印
Ｋ  谷折り線
Ｌ  のりを塗る範囲を示す斜線部
Ｍ  背表紙の内側
Ｎ  本の形を整える板
Ｏ  重し
１〜１０  糸運び順
【図１】
2008221696.tif 000003
【図２】
2008221696.tif 000004
【図３】
2008221696.tif 000005
【図４】
2008221696.tif 000006
【図５】
2008221696.tif 000007
【図６】
2008221696.tif 000008
【図７】
2008221696.tif 000009
【図８】
2008221696.tif 000010
【図９】
2008221696.tif 000011
【図１０】
2008221696.tif 000012
【図１１】
2008221696.tif 000013
【図１２】
2008221696.tif 000014